(57)【要約】【課題】  ヒンジ連結具に不可避的に形成される開口を簡単な構造によって閉塞可能なテーブルの提供である。【解決手段】  脚体Ｆに対して天板Ｕが左右一対のヒンジ連結具Ｈを介して水平位置と起立位置とでロックされた状態で、当該２つの位置の間を回動可能に連結され、前記ヒンジ連結具Ｈは、前記脚体Ｆに一体に設けられた脚体側プレート１１と、前記天板Ｕの裏面に一体に設けられて、前記脚体側プレート１１に回動可能に連結された天板側プレート２１とを備え、前記天板側プレート２１には、前記脚体Ｆに対する前記天板Ｕの回動を可能とする開口２８が形成された構成のテーブルにおいて、前記脚体側プレート１１には、前記開口２８のうちテーブル使用者が位置する側である手前側の部分を閉塞するための開口閉塞カバーＣが回動可能に取付けられ、当該開口閉塞カバーＣは、その先端部が常に天板側プレート２１の内部空間２５に収容される構成とする。【選択図】      図７
2014108253.tif 000002
【特許請求の範囲】
【請求項１】
脚体に対して天板が左右一対のヒンジ連結具を介して水平位置と起立位置とでロックされた状態で、当該２つの位置の間を回動可能に連結され、
前記ヒンジ連結具は、前記脚体に一体に設けられた一枚プレート状の脚体側プレートと、前記天板の裏面に一体に設けられて、自身の内部空間に前記脚体側プレートを収容した状態で、当該脚体側プレートに回動可能に連結される天板側プレートとを備え、
前記天板側プレートには、前記ヒンジ連結具のヒンジ運動を可能とする開口が形成された構成のテーブルにおいて、
前記脚体側プレートには、前記開口のうちテーブル使用者が位置する側である手前側部分を閉塞するための開口閉塞カバーが回動可能に取付けられ、当該開口閉塞カバーの先端部は、常に天板側プレートの内部空間に収容される構成であることを特徴とするテーブル。
【請求項２】
前記開口閉塞カバーは、正面カバー部の長手方向の基端部であって、幅方向の両端部に一対の側面カバー部が起立して一体に形成され、当該一対の側面カバー部の起立長は異なっていて、
長い側の側面カバー部に支持ピン部が一体に形成され、当該一対の側面カバー部は、前記脚体側プレートの両側に配置されて、前記開口閉塞カバーは、支持ピン部を介して当該脚体側プレートに回動可能に支持されることを特徴とする請求項１に記載のテーブル。
【請求項３】
前記開口閉塞カバーは、幅方向の両端に形状を保持するリブが設けられて、全体形状が変形しないように保持されていることを特徴とする請求項１又は２に記載のテーブル。
【請求項４】
前記開口閉塞カバーの正面カバー部の先端部は、前記一対の側面カバー部と同一の側にわん曲されてカバー側抜出し防止部となっていて、前記天板側プレートの開口には、天板の起立位置において、天板側プレートの内部空間から開口閉塞カバーが抜け出るのを防止する開口側抜出し防止部が設けられていることを特徴とする請求項１ないし３のいずれかに記載のテーブル。
【発明の詳細な説明】
【技術分野】
【０００１】
本発明は、脚体に対して天板が左右一対のヒンジ連結具を介して水平位置（使用位置）と起立位置（非使用位置）とでロックされた状態で、当該２つの位置の間を回動可能に連結されたテーブルに関するものである。
【背景技術】
【０００２】
本発明の背景技術の説明には、本発明の実施例に係る図面である図１〜図３、図６及び図７を参照する。脚体Ｆと天板Ｕは、ヒンジ連結具Ｈを介して水平位置（使用位置）と起立位置（非使用位置）との２つの位置でロックされた状態で、脚体Ｆに対して天板Ｕが回動可能となるように連結されている。脚体Ｆは、図１及び図２に示されるように、例えば、パイプ体を変形させたり、溶接により一体に連結することにより形成され、軽金属製の１本のパイプ体をわん曲させることにより、水平配置された本体支持部１の両端部に手前側（テーブルの使用者が位置する側）に向けて傾斜配置された左右一対の後側脚部２が設けられ、前記本体支持部１における一対の後側脚部２の内側に左右一対の前側脚部３が垂直配置されて、当該本体支持部１に溶接により一体化されている。なお、図１及び図２において、５は、互いに近接する後側及び前側の各脚部２，３を左右の各端部でそれぞれ連結する連結ロッドであり、６は、後側及び前側の各脚部２，３の下端に取付けられたキャスターを示す。
【０００３】
ヒンジ連結具Ｈを介して前記脚体Ｆに連結される天板Ｕは、平プレート状の部材である。脚体Ｆの本体支持部１には、幕板７がほぼ垂直に取付けられている。
【０００４】
脚体Ｆと天板Ｕとを連結するヒンジ連結具Ｈは、前記脚体Ｆの本体支持部１の左右両端部に上方に向けて一体に取付けられた一枚プレート状の脚体側プレート１１と、前記天板Ｕの裏面に一体に設けられて、対向配置された２枚のプレート部２２の間に前記脚体側プレート１１を収容した状態で、前記脚体側プレート１１とヒンジ連結される二枚プレート状の天板側プレート２１と、当該２枚のプレート部２２の間に配置された状態で、一方向に付勢された状態で、当該２枚のプレート部２２に回動可能に取付けられて、前記脚体側プレート１１に対して前記２つの位置で係合可能な係合爪４１とを備えている。脚体側及び天板側の各プレート１１，１２は、いずれも金属製である。
【０００５】
一枚プレート状の脚体側プレート１１は、係合爪４１が係合される被係合部材として機能し、その前面側の端面に、天板Ｕの水平位置及び起立位置を定める第１及び第２の各被係合部１２，１３が形成されている。脚体側プレート１１には、脚体側プレート１１を回動可能に連結する回動支持ピン３１を挿通するための第１ピン孔１５と、後述の開口閉塞カバーＣの支持ピン部５４を挿通するための第２ピン孔１６とが相上下して形成されている。
【０００６】
天板側プレート２１は、所定間隔をおいて対向配置された同一形状の２枚のプレート部２２が底板部２３を介して連結された形状であって、後述のプレートカバー２７と一緒に一対のビス２４を介して天板Ｕの裏面に取付けられる。２枚のプレート部２２は、当該２枚のプレート部２２で形成される内部空間２５に脚体側プレート１１が配置される部分の底板部２３に対する高さが残りの部分に比較して圧倒的に高くなっている。前記係合爪４１は、天板側プレート２１の２枚のプレート部２２の間の内部空間２５に収容配置されて、脚体側プレート１１の第１及び第２の各被係合部１２，１３に係合される側に付勢された状態で、係合爪支持ピン４２を介して２つのプレート部２２に回動可能に支持される。係合爪４１の付勢は、当該係合爪４１と係合爪支持ピン４２との間に介装されたバネ（図示せず）の復元力により奏される。係合爪４１の先端の鉤状の部分が、前記脚体側プレート１１の第１及び第２の各被係合部１２，１３に対して係合される係合部４１ａとなっている。係合爪支持ピン４２の天板側プレート２１からの突出部は、断面方形状に形成されて、当該突出部に回動レバー２６が嵌め込まれる。また、天板側プレート２１の各プレート部２２の外側は、プレートカバー２７で覆われて、対向配置された各プレート部２２の間に全長に亘って形成されている開口のうち、脚体側プレート１１に対して天板側プレート２１が回動する際に干渉回避のために必要な、換言すると、ヒンジ連結具Ｈのヒンジ運動に必要な開口２８（図９参照）を除いて、残りの開口は全てプレートカバー２７の開口閉塞板部２７ａで覆われる。
【０００７】
従って、脚体Ｆの本体支持部１の左右両端に一体に取付けられた一対の脚体側プレート１１を、天板Ｕの裏面の左右両端部に取付けられた一対の天板側プレート２１の内部空間２５にそれぞれ挿入して収容した状態で、天板側プレート２１の各プレート部２２に設けられたピン孔２９と、脚体側プレート１１の第１ピン孔１５とに回動支持ピン３１を挿通すると、当該回動支持ピン３１を介して脚体側及び天板側の各プレート１１，２１が回動可能に連結されることにより、図６及び図７に示されるように、脚体Ｆに対して天板Ｕが前記した２つの位置でロックされた状態で、脚体Ｆに対して天板Ｕが回動可能に連結される。
【０００８】
上記構造のヒンジ連結具Ｈには、その回動操作を可能にするために、不可避的に開口が形成される。上記したテーブルは、脚体Ｆに対して天板Ｕを上方に回動させて、天板Ｕを起立位置（非使用位置）に配置させたり、逆に、起立位置の天板Ｕを下方に回動させて水平位置（使用位置）に配置させたりする。そして、上記した各操作は、テーブルの使用者等が手前側に立って操作するのが通常であり、特に、起立位置の天板Ｕを下方に回動させて水平位置（使用位置）に配置させる際に、前面側を向いている大きな開口２８を通して脚体側プレート１１と係合爪４１との間に、人の指、衣類等が噛み込まれてしまう不具合があった。
【０００９】
特許文献１には、上記不具合を防止する構造が開示されている。特許文献１に開示の技術思想は、「支持体（本願発明の脚体）に、その内部を開放する開口部を設け、天板の使用位置で指挟み防止部材（本願発明の開口閉塞部材）が前記開口部を通して支持体の内部に収容される構成」である。即ち、支持体の側に指挟み防止部材を収容するための開口部を形成することが不可欠であるため、当該支持体の上端面を開口させる必要があり、例えば、支持体がパイプ体の溶接により構成されている場合には、パイプ体の上端面を開口させる構造にできないので、別部材としての支持体をパイプ体に対して取付ける必要があって、複雑でかつ外観の悪い構造となってしまう。
【００１０】
また、前記開口の部分では、前面側のみならず、側面側も開口されてしまうので、特許文献１の技術では、指挟み防止部材として、前面開口及び側面開口をそれぞれ閉塞するカバー部材を別々に設ける必要があって、指挟み防止部材の構造が複雑となる問題もあった。
【先行技術文献】
【特許文献】
【００１１】
【特許文献１】特開２００１−１６１４４６号公報
【発明の概要】
【発明が解決しようとする課題】
【００１２】
本発明は、脚体に対して天板をヒンジ連結するヒンジ連結具に、そのヒンジ運動を可能にするために不可避的に形成される開口を簡単な構造によって閉塞可能なテーブルの提供を課題としている。
【課題を解決するための手段】
【００１３】
上記課題を解決するための請求項１の発明は、脚体に対して天板が左右一対のヒンジ連結具を介して水平位置と起立位置とでロックされた状態で、当該２つの位置の間を回動可能に連結され、前記ヒンジ連結具は、前記脚体に一体に設けられた一枚プレート状の脚体側プレートと、前記天板の裏面に一体に設けられて、自身の内部空間に前記脚体側プレートを収容した状態で、当該脚体側プレートに回動可能に連結される天板側プレートとを備え、前記天板側プレートには、前記ヒンジ連結具のヒンジ運動を可能とする開口が形成された構成のテーブルにおいて、前記脚体側プレートには、前記開口のうちテーブル使用者が位置する側である手前側部分を閉塞するための開口閉塞カバーが回動可能に取付けられ、当該開口閉塞カバーの先端部は、常に天板側プレートの内部空間に収容される構成であることを特徴としている。
【００１４】
請求項１の発明によれば、脚体に対して天板を回動可能に連結するヒンジ連結具に不可避的に形成される手前側開口を閉塞する開口閉塞カバーは、当該ヒンジ連結具を構成する脚体側プレートに回動可能に取付けられて、その先端部が常に天板側プレートの内部空間に収容される構成であるために、天板の起立位置（非使用位置）においては、前面側開口は、開口閉塞カバーの先端部が天板側プレートの内部空間に収容された状態で、前記前面側開口は、当該開口閉塞カバーにより閉塞されている。この状態で、脚体に対して天板を回動させ、当該天板を水平位置（使用位置）に配置すると、その途中において、開口閉塞カバーは、脚体側プレートに対して回動しながら、天板側プレートの内部空間に対する収容長を徐々に長くしながら、手前側開口を常時閉塞するので、当該手前側開口に人の指、衣類等が噛み込まれるのを効果的に防止できる。逆に、脚体に対して天板を回動させ、当該天板を水平位置から起立位置に配置させる際には、開口閉塞カバーは、脚体側プレートに対して上記と逆方向に回動しながら、天板側プレートの内部空間から徐々に抜け出ながら、当該開口閉塞カバーによって前記手前側開口は、閉塞され続け、天板の起立位置においても、開口閉塞カバーの先端部は、天板側プレートの内部空間に収容されたままとなっている。
【００１５】
このように、請求項１の発明によれば、単一部材である開口閉塞カバーによって、ヒンジ連結具に不可避的に発生する手前側開口を閉塞できるため、その閉塞構造が簡単となる。また、脚体側の構造を一切変更することなく、単一部材である開口閉塞カバーをヒンジ連結具の手前側開口の部分に組み込むのみで、当該手前側開口を閉塞できる。
【００１６】
請求項２の発明は、請求項１の発明において、前記開口閉塞カバーは、正面カバー部の長手方向の基端部であって、幅方向の両端部に一対の側面カバー部が起立して一体に形成され、当該一対の側面カバー部の起立長は異なっていて、長い側の側面カバー部に支持ピン部が一体に形成され、当該一対の側面カバー部は、前記脚体側プレートの両側に配置されて、前記開口閉塞カバーは、支持ピン部を介して当該脚体側プレートに回動可能に支持されることを特徴としている。
【００１７】
請求項２の発明によれば、単一の開口閉塞カバーを構成する正面カバー部及び側面カバー部によって、ヒンジ連結具に形成される手前側開口の正面及び側面の双方を閉塞できる。
【００１８】
請求項３の発明は、請求項１又は２の発明において、前記開口閉塞カバーは、幅方向の両端に形状を保持するリブが設けられて、全体形状が変形しないように保持されていることを特徴としている。
【００１９】
請求項３の発明によれば、開口閉塞カバーの全体が変形しない構造になっているため、当該開口閉塞カバーの先端部がプレートカバーの内面を摺接しながら、当該開口閉塞カバーが天板側プレートの内部空間に対して抜け出たり、或いは入り込んで収容される場合において、脚体側プレートに対する開口閉塞カバーの回動がスムーズになると共に、その先端部のプレートカバーの内面に対する引っ掛かりもなくなって、天板側プレートの内部空間に対して開口閉塞カバーの出入りがスムーズとなる。
【００２０】
請求項４の発明は、請求項１ないし３のいずれかの発明において、前記開口閉塞カバーの正面カバー部の先端部は、前記一対の側面カバー部と同一の側にわん曲されてカバー側抜出し防止部となっていて、前記天板側プレートの開口には、天板の起立位置において、天板側プレートの内部空間から開口閉塞カバーが抜け出るのを防止する開口側抜出し防止部が設けられていることを特徴としている。
【００２１】
請求項４の発明によれば、天板の起立位置においては、天板側プレートの内部空間に対する開口閉塞カバーの収容長が短くなると共に、自重による抜出し方向への回動によって、当該開口閉塞カバーが前記内部空間から抜け出る恐れがあるが、カバー側及び天板側の各抜出し防止部の干渉によって、当該抜け出しを確実に防止できる。
【発明の効果】
【００２２】
本発明によれば、テーブルを構成する脚体の側を一切変更させることなく、単一部材である開口閉塞カバーの長手方向の一端部を脚体側プレートに回動可能に連結して、当該開口閉塞カバーを天板側プレートの内部空間に収容させる構成によって、テーブルの脚体に対して天板を連結しているヒンジ連結具の部分に不可避的に発生する手前側の開口を単一の開口閉塞カバーにより閉塞できる。
【図面の簡単な説明】
【００２３】
【図１】天板Ｕを起立位置（非使用位置）に配置させた本発明に係るテーブルの斜視図である。
【図２】天板Ｕを水平位置（使用位置）に配置させた本発明に係るテーブルの斜視図である。
【図３】ヒンジ連結具Ｈ及び開口閉塞カバーＣの分解斜視図である。
【図４】（ａ），（ｂ）は、それぞれ脚体側プレート１１に対する開口閉塞カバーＣの取付けの前後の斜視図である。
【図５】（ａ），（ｂ），（ｃ）は、それぞれ開口閉塞カバーＣの平面図、正面図及び右側面図である。
【図６】天板Ｕの水平位置（使用位置）において、ヒンジ連結具Ｈの手前側開口２８が閉塞されている状態を示す断面図である。
【図７】天板Ｕの起立位置（非使用位置）において、ヒンジ連結具Ｈの手前側開口２８が閉塞されている状態を示す断面図である。
【図８】同様の破断斜視図である。
【図９】ヒンジ連結具Ｈに手前側開口２８が形成されることを示す斜視図である。
【発明を実施するための形態】
【００２４】
以下、「背景技術」の項目で説明した部分は、そのまま援用して、実施例を挙げて、本発明を更に詳細に説明する。
【００２５】
最初に、図４及び図５を参照して、ヒンジ連結具Ｈの回動操作に必要な手前側の開口２８を閉塞するための開口閉塞カバーＣについて説明する。開口閉塞カバーＣは、樹脂で形成され、脚体側プレート１１に連結された状態において、正面視で下方が僅かに凸となるようにわん曲されていて、当該開口閉塞カバーＣの本体部を形成する正短尺帯状をした正面カバー部５１と、当該正面カバー部５１の長手方向の基端部であって、その幅方向の両端部に起立して一体に形成された一対の側面カバー部５２ａ，５２ｂとから成る。正面カバー部５１の先端部には、天板Ｕの起立位置において、天板側プレート２１の内部空間２５に対する開口閉塞カバーＣの収容長が短くなると共に、自重による当該開口閉塞カバーＣの抜出し方向への回動によって、天板側プレート２１の内部空間２５から開口閉塞カバーＣが抜け出るのを防止すべく、一対の側面カバー部５２ａ，５２ｂと同一の側にわん曲されて、カバー側抜出し防止部５７となっている。正面カバー部５１の幅方向の両端部には、全長に亘ってリブ５３が上方に向けて形成されて、変形しないように全体が補強されている。前記リブ５３の先端部５３ａは、正面カバー部５１の先端のわん曲部まで達する高さを有している。
【００２６】
一対の側面カバー部５２ａ，５２ｂは、その高さが異なっていて、高さが高い側の側面カバー部５２ａの上端部には、支持ピン部５４が正面カバー部５１の幅方向に沿って一体に形成されている。一対の側面カバー部５２ａ，５２ｂの高さを異ならしめたのは、脚体側プレート１１の第２ピン孔１６に対する開口閉塞カバーＣの支持ピン部５４に挿入連結を可能にするためである。支持ピン部５４は、筒状に形成されて、先端部は、他の部分よりも外径の大きな抜止め部５４ａとなっていると共に、先端面から一対の短いスリット５４ｂが軸方向に設けられることにより、支持ピン部５４の先端部は、縮径弾性変形が可能となっている。開口閉塞カバーＣの幅は、脚体側プレート１１の板厚よりも広いため、図４に示されるように、脚体側プレート１１の第２ピン孔１６に開口閉塞カバーＣの支持ピン部５４を挿入することにより、当該開口閉塞カバーＣを脚体側プレート１１に対して回動可能に連結された状態で、脚体側プレート１１に対する開口閉塞カバーＣが横揺れするのを防止すべく、正面カバー部５１の基端部には、一方の側面カバー部５２ｂの上端に達する高さの横揺れ防止プレート部５５が形成され、当該横揺れ防止プレート部５５に脚体側プレート１１の板厚に対応する幅の挿入開口５６が上端に開口して形成されている。
【００２７】
図６ないし図８に示されるように、開口閉塞カバーＣは、上記のようにして、脚体側プレート１１に、自身の支持ピン部５４を介して回動可能に連結されて、正面カバー部５１により手前側の開口２８の正面部が閉塞されると共に、側面カバー部５２ａ，５２ｂにより当該開口２８における脚体側プレート１１に近い部分の両側面が閉塞される。ここで、脚体側プレート１１と係合爪４１との間に人の指、衣類等が噛み込まれ易いのは、起立位置から水平位置に天板Ｕを回動させる場合であって、しかも脚体側プレート１１の近傍において発生し易いので、開口２８における脚体側プレート１１に近い部分を一対の側面カバー部５２ａ，５２ｂで閉塞することにより、人の指、衣類等の噛み込み防止の目的は、十分に達成される。開口閉塞カバーＣの正面カバー部５１は、脚体Ｆに対して天板Ｕが上方に回動されて起立位置（非使用位置）に配置された状態においても、所定長だけ天板側プレート２１の内部空間２５に入り込む長さを有しているため、手前側の開口２８は、常に開口閉塞カバーＣにより閉塞される。なお、図６ないし図８において、Ｋ1 〜Ｋ3 は、それぞれ開口閉塞カバーＣ、脚体側プレート１１及び係合爪４１の回動軸心を示す。
【００２８】
図６及び図７は、それぞれ天板Ｕの水平位置（使用位置）及び起立位置（非使用位置）におけるヒンジ連結具Ｈの部分の断面図であって、天板Ｕの水平位置においては、起立位置に比較して、手前側の開口２８の開口量（長）が短くなっているが、当該開口２８の正面側及び両側面側は、それぞれ開口閉塞カバーＣの正面カバー部５１及び側面カバー部５２ａ，５２ｂで閉塞されている。また、図３、図６ないし図８に示されるように、天板Ｕの起立位置において、開口閉塞カバーＣの先端部が天板側プレート２１の内部空間２５から抜け出るのを防止するために、対向配置された２枚のプレート部２２の開口２８の部分には、当該２枚のプレート部２２を連結するようにして開口側抜出し防止部３２が設けられている。開口側抜出し防止部３２は、開口閉塞カバーＣのカバー側抜出し防止部５７と干渉して、天板側プレート２１の内部空間２５から開口閉塞カバーＣの先端部が抜け出るのを防止する。
【００２９】
そして、図７及び図８に示される天板Ｕの起立位置から、当該天板Ｕを水平位置に配置させるには、図８において回動レバー２６を時計方向に回動させて、係合爪４１の係合部４１ａと脚体側プレート１１の第２被係合部１３との係合を解除させると、天板Ｕは、水平位置の側に回動可能となり、水平位置に達すると、係合爪４１の係合部４１ａと脚体側プレート１１の第１被係合部１２とが係合されて、脚体Ｆに対して天板Ｕがロックされた状態となる。この間において、開口閉塞カバーＣは、その先端部のカバー側抜出し防止部５７がプレートカバー２７の開口閉塞板部２７ａの裏面に対する当接状態を維持した状態で、脚体側プレート１１に対して反時計方向に回動しながら、天板側プレート２１の内部空間２５に対する収容長を徐々に長くしながら、その正面カバー部５１及び側面カバー部５２ａ，５２ｂによって、それぞれ手前側の開口２８の正面側及び脚体側プレート１１に近接した部分の両側面側を常時閉塞するので、当該開口２８に人の指、衣類等が噛み込まれるのを効果的に防止できる。
【００３０】
逆に、脚体Ｆに対して天板Ｕを回動させ、当該天板Ｕを水平位置から起立位置に配置させる際には、開口閉塞カバーＣは、脚体側プレート１１に対して上記と逆方向に回動しながら、天板側プレート２１の内部空間２５から徐々に抜け出ながら、当該開口閉塞カバーＣによって前記開口２８の正面側及び脚体側プレート１１に近接した部分の両側面側は、常時閉塞されて、天板Ｕの起立位置においても、開口閉塞カバーＣの先端部は、天板側プレート２１の内部空間２５に収容されたままとなっている。この際に、天板Ｕが起立位置に近付いても、カバー側抜出し防止部５７と、天板側プレート２１の開口側抜止し防止部３２との干渉によって、天板側プレート２１の内部空間２５から開口閉塞カバーＣの先端部が抜け出るのを防止できる。
【００３１】
なお、上記実施例の開口閉塞カバーＣは、一対の側面カバー部５２ａ，５２ｂの起立長を異ならしめて、長い側の側面カバー部５２ａの上端部に支持ピン部５４を一体に設けた構成であるため、脚体側プレート１１に対して開口閉塞カバーＣが回動可能に連結される回動ピンの部分を含めて、開口閉塞カバーＣの全体が単一の部材で構成される利点がある。しかし、一対の側面カバー部の長さを同一にして、別体の回動ピンによって、一対の側面カバー部の部分を脚体側プレートに回動可能に連結する構成の開口閉塞カバーであってもよい。
【００３２】
また、開口閉塞カバーＣの正面カバー部５１の基端部に設けられる一対の側面カバー部５２ａ，５２ｂは、ヒンジ連結具Ｈの天板側プレート２１のプレート部２２の形状に対応して、側面に開口が形成される場合に必要とされる部分であって、側面に開口が形成されない場合は、不要であると共に、必要とされる場合においても、正面カバー部５１の長手方向に沿った長さは、側面に形成される開口の長さに対応して定められる。
【符号の説明】
【００３３】
Ｃ：開口閉塞カバー
Ｆ：脚体
Ｈ：ヒンジ連結具
Ｕ：天板
１：脚体の本体支持部
１１：脚体側プレート
２１：天板側プレート
２２：プレート部
２５：内部空間
２８：（手前側）開口
３２：開口側抜出し防止部
４１：係合爪
５１：正面カバー部
５２ａ，５２ｂ：側面カバー部
５３：リブ
５３ａ：リブの先端部
５４：支持ピン部
５７：カバー側抜出し防止部
【図１】
2014108253.tif 000003
【図２】
2014108253.tif 000004
【図３】
2014108253.tif 000005
【図４】
2014108253.tif 000006
【図５】
2014108253.tif 000007
【図６】
2014108253.tif 000008
【図７】
2014108253.tif 000009
【図８】
2014108253.tif 000010
【図９】
2014108253.tif 000011